(57)【要約】      （修正有）【課題】骨盤をサポートしながらもある程度自由に動く状態を維持しやすく、同時に、遠赤外線効果により骨盤付近を温めることができるベルトを提供する。【解決手段】骨盤の少なくとも一部を覆い、腰部の周方向に巻き付ける幅５〜１０ｃｍのベルト１であって、厚みが０．５〜４ｍｍで横長状の、伸縮性を備えた弾性シートと、弾性シートの一方側の面に設けた、黒鉛珪石含有繊維を含んだ黒鉛珪石含有生地３と、弾性シートの他方側の面に設けた、ループパイル生地と、ループパイル生地と着脱自在に係合し、弾性シートの一方側の面に設けた面ファスナーフック部６と、からなる。【選択図】図１
0003226519.tif 000002
【実用新案登録請求の範囲】
【請求項１】
骨盤の少なくとも一部を覆い、腰部の周方向に巻き付けるベルトであって、
厚みが０．５〜４ｍｍで横長状の、伸縮性を備えた弾性シートと、
この弾性シートの一方側の面に設けた、黒鉛珪石含有繊維を含んだ黒鉛珪石含有生地と、
前記弾性シートの他方側の面に設けた、ループパイル生地と、
このループパイル生地と着脱自在に係合し、前記弾性シートの一方側の面に設けた面ファスナーフック部と、からなり、
幅が５〜１０ｃｍである、
ベルト。
【請求項２】
黒鉛珪石含有生地の表面側に、複数個の滑り止め手段を設けてなる、
請求項１に記載のベルト。
【請求項３】
面ファスナーフック部が、
弾性シートの一方側の面の端部に設けたメインフック部材と、
このメインフック部材から１〜１０ｃｍの間隔をとって設けたサブフック部材と、からなる、
請求項１または２に記載のベルト。
【考案の詳細な説明】
【技術分野】
【０００１】
本考案はベルトに関する。詳細には、腰部の周方向に巻き付ける骨盤矯正用のベルトに関する。
【背景技術】
【０００２】
腰痛は、多くの人が抱える悩みである。日本整形外科学会の調査によると、腰痛の症状がある人は日本国内で約3,000万人いると推計されている。
腰痛には骨盤の変位などが関連している場合が多い。骨盤は身体の中心部にあって、上半身を支えその重量を受け止めつつ下半身に動きを伝える司令塔の役割を担っている。そして、姿勢の癖などから骨盤に変位（ブレや歪み）が生じると、腰痛になるばかりか、周りの筋肉に無理な負担がかかって身体のバランスが崩れ、時間の経過とともに腰や背中、股関節、膝などにも痛みや不具合が生じることがある。
そのため、腰痛などの治療に骨盤などを固定するベルトを用いる場合があった。
【０００３】
このようなベルトとしては、例えば、骨盤をしっかり固定する「骨盤ベルト」や、腹筋周りにしっかりと装着して腹圧を高める「コルセット」などがあった。上記骨盤ベルトに関しては、例えば、下記特許文献１に記載されている。
【０００４】
特許文献１には「着用者の背面側から左右の脇側を通り、前面側で交差させて係止して骨盤を締め付ける骨盤ベルトであって、前記骨盤ベルトは、ベルト本体部とズレ防止帯とを備え、前記ベルト本体部は、着用状態で前側の下縁が恥骨部と大転子部とを結ぶ第１サポートラインに沿い、脇側の下縁が大転子部と仙腸関節部とを結ぶ第２サポートラインに沿い、かつ、上縁が恥骨部と仙腸関節部とを結ぶ第３サポートラインに沿う形状であり、前記ズレ防止帯は、前記ベルト本体部の左右の大転子部の位置に固定され、着用状態で前記左右の大転子部から臀溝部を通る位置に設けられていることを特徴とする骨盤ベルト。」が記載されており、「そこで本発明は・・・（中略）・・・着用者の恥骨結合、大転子および仙腸関節をしっかりサポートして骨盤を安定化させる」（段落0014）などとある。
【先行技術文献】
【特許文献】
【０００５】
【特許文献１】特開２０１６‐０８４５５２号公報
【考案の概要】
【考案が解決しようとする課題】
【０００６】
しかしながら、骨盤ベルトは、変位した骨盤を正しい位置に矯正することを目的として強く締め上げるものの、実際には、それだけでは骨盤を正しい位置に戻すことはできなかった。また、コルセットは、腹筋を締め上げて腹圧を高めることで腰の筋肉の使用を抑え、それによって痛みを軽減するものであり、やはり、骨盤を正しい位置に戻すことはできなかった。
【０００７】
骨盤を正しい位置に戻すためには、骨盤をサポートしながらも、骨盤がある程度自由に動く状態を維持することが重要である。そうすれば、骨盤の変位による腰痛などは根本的に改善されると考えられる。その際、骨盤付近を温めることができれば、筋肉の動きがスムーズになって相乗的な改善効果を期待できる。
【０００８】
本考案は、上記の事情に鑑みてなされたものであって、骨盤をサポートしながらもある程度自由に動く状態を維持しやすく、同時に、遠赤外線効果により骨盤付近を温めることができるベルトを提供することを目的とする。
【課題を解決するための手段】
【０００９】
上記課題を解決するために、骨盤の少なくとも一部を覆い、腰部の周方向に巻き付けるベルトであって、厚みが０．５〜４ｍｍで横長状の、伸縮性を備えた弾性シートと、この弾性シートの一方側の面に設けた、黒鉛珪石含有繊維を含んだ黒鉛珪石含有生地と、前記弾性シートの他方側の面に設けた、ループパイル生地と、このループパイル生地と着脱自在に係合し、前記弾性シートの一方側の面に設けた面ファスナーフック部と、からなり、幅が５〜１０ｃｍである、ベルト（骨盤矯正用のベルト）とした。
【００１０】
このベルトは、厚みが０．５〜４ｍｍで横長状の、伸縮性を備えた弾性シートを用いており、また、幅が５〜１０ｃｍであるため、適度な弾性力を有しており、骨盤をサポートしながらもある程度自由に動く状態を維持しやすい。また、黒鉛珪石含有生地の遠赤外線効果によって骨盤まわりをじんわりと温めることで筋肉の動きがスムーズになって相乗的な改善効果を期待できる。骨盤付近、特に仙骨を温めることで、腰痛の改善効果も期待できる。
ここで、弾性シートの材質は特に制限されないが、圧縮ウレタンフォームであることが好ましい。弾性シートの厚みは、１〜３ｍｍが好ましく、１．５〜２．５ｍｍがより好ましい。
また、ベルトの幅は、６〜９ｃｍが好ましく、７〜９ｃｍがより好ましく、概ね８ｃｍが最も好ましい。
【００１１】
ここで、黒鉛珪石含有生地の表面側に、複数個の滑り止め手段を設けてなる、ベルトとすることが好ましい。
【００１２】
このベルトは装着時にずれにくくなる。本考案のベルトは、幅狭であり、また比較的弱めに装着されるため、通常の骨盤ベルトなどと比較してズレやすい傾向があるが、複数個の滑り止め手段によってズレやすさを大きく改善することができる。
【００１３】
またここで、面ファスナーフック部が、弾性シートの一方側の面の端部に設けたメインフック部材と、このメインフック部材から１〜１０ｃｍの間隔をとって設けたサブフック部材と、からなる、ベルトとすることも好ましい。
【００１４】
このベルトは装着しやすくなる。すなわち、メインフック部材の部分を把持して張力をかけ、この状態で、まずはサブフック部のみをループパイル生地に係合させることができるのである。そうすることによりメインフック部材にかかる張力が開放されるため、メインフック部をしっかりとループパイル生地に係合させることができるのである。
メインフック部材とサブフック部材との間隔は、１．５〜７ｃｍがより好ましく、２〜４ｃｍが最も好ましい。
【考案の効果】
【００１５】
本考案により、骨盤をサポートしながらもある程度自由に動く状態を維持しやすく、また遠赤外線効果により骨盤付近を温めることができるベルトを提供することができる。
【図面の簡単な説明】
【００１６】
【図１】ベルトの背面図である。
【図２】ベルトの正面図である。
【図３】図１のＡ‐Ａ線切断面を矢印方向から見た拡大断面図である。
【考案を実施するための形態】
【００１７】
以下、図を用いてベルトを説明する。ベルト１は骨盤矯正用であり、弾性シート２と黒鉛珪石含有生地３とループパイル生地４と面ファスナーフック部６(61,62)とを備えており、ベルト１の幅は５〜１０ｃｍである。また、以下の本実施形態のベルト１には、滑り止め手段５を三カ所に設けてある。
以下の実施形態はあくまで本考案を例示説明するものであって、本考案は、以下の具体的な実施形態に限定されるものではない。
【００１８】
１．弾性シート
弾性シート２は、横長状であり、厚みが０．５〜４ｍｍである。このような弾性シートは適度な伸縮性を備えている。
【００１９】
弾性シートの材質は、特に制限されない。例えば、クロロプレンゴム、スチレンブタジエンゴム、エチレンプロピレンジエンゴム、圧縮ウレタンフォームを用いることができる。なかでも、装着性や通気性を考慮すると、圧縮ウレタンフォームを用いることが好ましい。
また、弾性シートの厚みが０．５ｍｍ未満であると締め付け力が弱くなりすぎて骨盤をサポートしにくくなる。一方、弾性シートの厚みが４ｍｍを越えると締め付け力が強くなりすぎて骨盤が自由に動きづらくなるとともに装着感が悪化する。弾性シートの厚みは、１〜３ｍｍが好ましく、１．５〜２．５ｍｍがより好ましく、概ね２ｍｍであることが最も好ましい。
【００２０】
後述するようにベルト１の幅は５〜１０ｃｍであるため、弾性シート２の幅も自ずと決まってくる。例えば、弾性シートの幅を５〜１０ｃｍとすることができる。弾性シートの幅は、６〜９ｃｍが好ましく、７〜９ｃｍがより好ましく、概ね８ｃｍが最も好ましい。弾性シートは帯状であることが好ましい。
【００２１】
２．黒鉛珪石含有生地
黒鉛珪石含有生地３は、弾性シート２の一方側の面に設けられている。黒鉛珪石含有生地３が設けられた一方側の面は装着時に人体側に向ける面となる。また、黒鉛珪石含有生地３は黒鉛珪石含有繊維を含んでいる。黒鉛珪石含有繊維について以下詳説する。
【００２２】
黒鉛珪石含有繊維は、黒鉛珪石の微粉末を含有する繊維である。黒鉛珪石は、数億年に亘り海底に堆積した珪藻類が地表に隆起したものであると考えられている。黒鉛珪石は、ＳｉＯ2  を主成分とし、黒鉛結晶（通常は約５％）を含んでいる。その他にも、アルミニウム、カリウム、チタンおよび二酸化鉄およびマグネシウムなどを含んでいる。黒鉛珪石はブラックシリカと称される場合がある。
【００２３】
このような黒鉛珪石を微粉末化して、ポリマーに練り込み繊維化する。黒鉛珪石は、平均粒径（ｄ５０：累積５０％粒径）が３μｍ以下になるように微粉末化することが好ましい。黒鉛珪石の微粉末を練り込むポリマーは、特に制限されない。生産性や物性を考慮すると、ポリエチレンテレフタレート、ナイロン６、ナイロン６６等が好ましい。芯鞘型の繊維とする場合には、微粉末化した黒鉛珪石を、芯部のポリマーと鞘部のポリマーのどちらに添加してもよい。
黒鉛珪石の微粉末の添加量は、好ましくは黒鉛珪石含有繊維の０．５〜８．０重量％であり、より好ましくは黒鉛珪石含有繊維の０．５〜５．０重量％、さらに好ましくは黒鉛珪石含有繊維の０．５〜４．０重量％である。
【００２４】
このような黒鉛珪石含有繊維を一部または全部に用いて黒鉛珪石含有生地３を作成する。黒鉛珪石含有生地３として、例えばニット生地とすることができる。黒鉛珪石含有生地３を弾性シート２に設ける手段は制限されない。例えば、接着、熱圧着、両面テープなどの手段を用いることができる。黒鉛珪石含有生地３は、弾性シート２との追従性を考慮し、伸縮性に優れたトリコット生地とすることが好ましい。
本実施形態では、弾性シートの一方側の面のほぼ全面を覆うような形状の黒鉛珪石含有生地３を用いてある。
【００２５】
３．ループパイル生地
ループパイル生地４は、弾性シート２の他方側の面（装着時、外側に向ける面）に設けられている。
ループパイル生地４はワッカ状の糸が織り込まれた生地であり、面ファスナーの雌側（面ファスナーループ部）として機能する。ループパイル生地４には、一部がカットパイルとなっているものも含まれる。ループパイル生地として、縦横二方向に伸縮性のある起毛ツーウエイ経編地（フレンチパイル生地）を用いることが好ましい。
【００２６】
ループパイル生地４を弾性シート２に設ける手段は制限されない。例えば、接着、熱圧着、両面テープなどの手段を用いることができる。弾性シート２とループパイル生地４を一体的に形成してもよい。ループパイル生地４は、弾性シート２との追従性を考慮し、伸縮性に優れたトリコット生地とすることが好ましい。
本実施形態では、弾性シート２の他方側の面のほぼ全面を覆うような形状のループパイル生地４を用いてある。
【００２７】
４．面ファスナーフック部
面ファスナーフック部６は、ループパイル生地４と着脱自在に係合する。すなわち、面ファスナーフック部６とループパイル生地４（面ファスナーループ部）とで面ファスナーを構成するのである。
【００２８】
そして面ファスナーフック部６は、弾性シート２の一方側の面（装着時、人体側に向ける面）に設けられる。ここで、弾性シート２の一方側の面には、黒鉛珪石含有生地３が設けてあるため、面ファスナーフック部６を、黒鉛珪石含有生地３の表面に取り付けることができる。
【００２９】
また、面ファスナーフック部６を、メインフック部材61とサブフック部材62とで構成してもよい。例えば、メインフック部材61を弾性シート２の一方側の面の端部に取り付けることができる。サブフック部材62は、このメインフック部材61から１〜１０ｃｍの間隔をとって弾性シート２の一方側の面に取り付けることができる。このとき、サブフック部材62は、メインフック部材61よりもベルト１の長手方向中央寄りに取り付ける。
メインフック部材61とサブフック部材62との間隔が１ｃｍ未満であると、二つの部材に分けた効果（装着しやすさ）が少なくなる。また、メインフック部材61とサブフック部材62との間隔が１０ｃｍを越えると、逆に装着しにくくなる。
メインフック部材61とサブフック部材62との間隔は、１．５〜７ｃｍがより好ましく、２〜４ｃｍが最も好ましい。
【００３０】
５．滑り止め手段
そして、本実施形態のベルト１は、滑り止め手段５を設けてある。滑り止め手段５は、黒鉛珪石含有生地３の表面側に複数個を設けてある。本実施形態では、ベルト１の幅より若干短い寸法の縦長状の滑り止めシート５を複数個用いている。より具体的にはベルト１の長手方向中央部に１個、そこから左右に２０〜２５ｃｍの間隔を隔てて左右に１個ずつの合計三個の滑り止めシート５を取り付けてある。滑り止め手段５としては特に制限されないが、例えば、綾テープの表面に、ポリエステルのドットを多数個形成したものを用いることができる。
【００３１】
６．その他
なお、本実施形態のベルト１には、補強部材７を設けてある。補強部材７は、弾性シート２の一方側の面（装着時、人体側に向ける面）であって面ファスナーフック部61,62とは長手方向反対側に設けられている。本実施形態では、補強部材７として、腰のある樹脂製メッシュを用いてある。補強部材７（樹脂製メッシュ）の長さ（図１における左右方向の寸法）は１０〜３０ｃｍが好ましく、１５〜２５ｃｍがより好ましい。
また、本実施形態のベルト１は、周縁部に縁部材８を設けて、パイピングを施してある。
【００３２】
７．ベルトの装着方法
上記ベルト１は、腰骨の出っ張った位置から下にかかるように装着する。詳細には、腰骨から１〜５ｃｍ下の位置、好ましくは２〜４ｃｍ下の位置に装着することが好ましい。本考案のベルト１は、適度な弾性力（伸縮性）を有しており、骨盤をサポートしながらもある程度自由に動く状態を維持しやすいものではあるが、強く巻き付けないように注意することが好ましい。本考案のベルトは、遠赤外線効果を享受しながら骨盤ストレッチを行うことが可能であり、骨盤を正しい位置に戻しやすいのである。
【００３３】
以上、特定の実施形態を参照して本考案を説明したが、本考案は上記実施形態に限定されるものではなく、当該技術分野における熟練者等により、本出願の願書に添付された実用新案登録請求の範囲から逸脱することなく、種々の変更及び修正が可能である。
【符号の説明】
【００３４】
１  ベルト
２  弾性シート
３  黒鉛珪石含有生地
４  ループパイル生地
５  滑り止め手段（滑り止めシート）
６  面ファスナーフック部
61  メインフック部材
62  サブフック部材
７  補強部材
８  縁部材
【図１】
0003226519.tif 000003
【図２】
0003226519.tif 000004
【図３】
0003226519.tif 000005